(57)【要約】【課題】単純マトリクス駆動により着色粒子を使用した画像表示媒体を駆動しても十分な表示コントラストを実現することができる画像表示装置を提供する。【解決手段】表示基板１２と背面基板１４との間には、互いに帯電特性の異なる黒粒子２０、白粒子２２とが封入されている。表示基板１２の背面基板１４との対向面には複数のライン状の列電極１６が設けられ、背面基板１４の表示基板１２との対向面には列電極と直交する複数のライン状の行電極１７が設けられている。粒子を移動させる必要のない非画像部の列電極１６と行電極１７との間には、粒子が移動しないぎりぎりの電圧である粒子停止最大電圧近傍の電圧を印加することにより、粒子を移動させる必要のある画像部の列電極１６と行電極１７との間に印加可能な最大電圧を大きくする。【選択図】        図２
2004163566.tif 000002
【特許請求の範囲】
【請求項１】
少なくとも透光性を有する表示基板と、前記表示基板と対向する背面基板と、前記表示基板と前記背面基板との基板間に形成された電界により前記基板間を移動可能に封入された少なくとも１種類の粒子群と、を備えた画像表示媒体と、
前記表示基板側に設けられ、かつ平行に配置されたライン状の複数の表示側電極と、
前記背面基板側に設けられ、かつ前記表示側電極の長手方向と交差する方向に配置されたライン状の複数の背面側電極と、
前記複数の表示側電極のうち画像表示に寄与する表示側電極と前記複数の背面側電極のうち画像表示に寄与しない背面側電極との間、前記画像表示に寄与しない表示側電極と前記画像表示に寄与する背面側電極との間、前記画像表示に寄与しない表示側電極と前記画像表示に寄与しない背面側電極との間に、前記粒子群が移動しない範囲の電圧のうち絶対値が最大となる最大電圧近傍の電圧を印加する電圧印加手段を備えたことを特徴とする画像表示装置。
【請求項２】
隣接する表示側電極の間隙の各々に対応する位置及び隣接する背面側電極の間隙の各々に対応する位置の少なくとも一方に、前記表示基板と前記背面基板との間を仕切る仕切部材をさらに備えたことを特徴とする請求項１記載の画像表示装置。
【請求項３】
前記粒子群は、色及び帯電特性が異なる複数種類の粒子群であることを特徴とする請求項１又は請求項２記載の画像表示装置。
【発明の詳細な説明】
【０００１】
【発明の属する技術分野】
本発明は、画像表示装置に係り、より詳しくは、より詳しくは、透明な表示基板と背面基板との間に封入された着色粒子を電界によって駆動することで、繰返し画像表示を行う画像表示装置に関する。
【０００２】
【従来の技術】
従来、所謂電子ペーパーと言われる繰り返し書き換えが可能なメモリー性のある画像表示技術として、着色粒子の回転（Ｔｗｉｓｔｉｎｇ  Ｂａｌｌ  Ｄｉｓｐｌａｙ）、電気泳動、サーマルリライタブル、メモリ性を有する液晶、エレクトロクロミー等の技術が知られている。
【０００３】
このような技術の中で、粒子（トナー）を用いて表示する画像表示媒体として、異なる極性に帯電された黒色粒子と白色粒子とが対向するシート間に封入された画像表示媒体が提案されている（例えば特許文献１及び特許文献２参照）。このような画像表示媒体は、シート間に電界を形成させて粒子を移動させることにより、黒色粒子と白色粒子とのコントラストとして画像を表示させる。
【０００４】
また、上記特許文献１及び特許文献２には、所謂単純マトリックス駆動によりを画像表示媒体を駆動することが記載されている。
【０００５】
単純マトリクス駆動では、表示基板側に複数のライン状の表示側電極を設けると共に、背面基板側に表示側電極の長手方向と直交する方向に複数のライン状の背面側電極を設ける。
【０００６】
そして、例えば電圧を印加する背面側電極を順次変更しながら、これと同期して、粒子を移動させる必要のある画素に対応する表示側電極全てに電圧を印加する。これにより、必要な画素の粒子のみを移動させて所望の画像を表示することができる。
【０００７】
このように、単純マトリクス駆動では、各画素毎に駆動するのではなく、各ライン毎に走査駆動するため、非画像書込み部にも電界が作用してしまう。従って単純マトリクス駆動を実施するには、画像表示媒体の表示特性として、ある印加電圧値までは表示がなされず、それ以上の電圧値では十分な表示がなされる必要がある。
【０００８】
ここで、例えば正に帯電した黒色粒子と負に帯電した白色粒子が表示基板と背面基板との間に封入された画像表示媒体の表示特性、すなわち背面基板に対する表示基板の印加電圧と表示濃度との関係は、図７に示すような関係となる。図７に示すように、例えば黒色粒子が背面基板側に停止している状態が維持される粒子停止最大電圧（絶対値が最大の電圧）ＶｔｈＢ、すなわち、絶対値がこれを越えた負の電圧が表示基板に印加されると背面基板側の黒色粒子が表示基板側へ移動開始する電圧までは表示がなされず（背面基板側の黒色粒子が移動を開始せず）、絶対値が粒子停止最大電圧ＶｔｈＢを越える負の電圧が印加されると表示がなされる（背面基板側の黒色粒子が表示基板側へ移動開始する）特性となっている。
【０００９】
また、白色粒子についても同様であり、図７に示すように、白色粒子が背面基板側に停止している状態が維持される粒子停止最大電圧ＶｔｈＷ、すなわち、これを越えた正の電圧が表示基板に印加されると背面基板側の白色粒子が表示基板側へ移動開始する電圧までは表示がなされず（背面基板側の白色粒子が移動を開始せず）、粒子停止最大電圧ＶｔｈＷを越える正の電圧が印加されると表示がなされる（背面基板側の白色粒子が表示基板側へ移動開始する）特性となっている。
【００１０】
【特許文献１】
特開２００１−３３８３３号公報
【特許文献２】
特開２００１−３１２２２５号公報
【００１１】
【発明が解決しようとする課題】
しかしながら、図７から明らかなように、粒子停止最大電圧ＶｔｈＢ（の絶対値）又はＶｔｈＷを越える電圧が表示基板に印加されれば急激に表示濃度が変化するわけではなく、印加電圧の変化に応じて表示濃度が徐々に変化していく。
【００１２】
従来の一般的な単純マトリクス駆動方法において、背面基板側にある黒色粒子を表示基板側に移動させる場合には、画像表示に寄与する表示側電極、すなわち画像部の表示側電極に印加される電圧をＶＣｏｎ、画像部の背面側電極に印加される電圧をＶＲｏｎ、画像表示に寄与しない表示側電極、すなわち非画像部の表示側電極に印加される電圧をＶＣｏｆｆ、非画像部の背面側電極に印加される電圧をＶＲｏｆｆとすると、図８に示したように、非画像部の表示側電極及び背面側電極に印加される電圧ＶＣｏｆｆ、ＶＲｏｆｆは接地（０Ｖ）して同電位とし、画像部の表示側電極及び背面側電極に印加される電圧ＶＣｏｎ、ＶＲｏｎはそれぞれ粒子停止最大電圧ＶｔｈＢ以下の電圧、粒子停止最大電圧ＶｔｈＷ以下の電圧を印加していた。
【００１３】
従って、粒子停止最大電圧ＶｔｈＢ（の絶対値）と粒子停止最大電圧ＶｔｈＷとを同一電圧とした場合、図８に示すように、画像部の表示側電極と背面側電極との間に印加することができる印加可能最大電圧ＶＢｍａｘ１、ＶＷｍａｘ２は、粒子停止最大電圧の２倍の電圧となるが、この電圧では、図７に示すように十分な表示濃度を得ることができない。
【００１４】
本発明は、前記問題点に鑑みて成されたものであり、着色粒子を使用した画像表示装置において、単純マトリクス駆動方式を採用しても、十分な表示コントラストを実現することができる画像表示装置を提供することを目的とする。
【００１５】
【課題を解決するための手段】
上記課題を解決するため請求項１記載の発明は、少なくとも透光性を有する表示基板と、前記表示基板と対向する背面基板と、前記表示基板と前記背面基板との基板間に形成された電界により前記基板間を移動可能に封入された少なくとも１種類の粒子群と、を備えた画像表示媒体と、前記表示基板側に設けられ、かつ平行に配置されたライン状の複数の表示側電極と、前記背面基板側に設けられ、かつ前記表示側電極の長手方向と交差する方向に配置されたライン状の複数の背面側電極と、前記複数の表示側電極のうち画像表示に寄与する表示側電極と前記複数の背面側電極のうち画像表示に寄与しない背面側電極との間、前記画像表示に寄与しない表示側電極と前記画像表示に寄与する背面側電極との間、前記画像表示に寄与しない表示側電極と前記画像表示に寄与しない背面側電極との間に、前記粒子群が移動しない範囲の電圧のうち絶対値が最大となる最大電圧近傍の電圧を印加する電圧印加手段を備えたことを特徴とする。
【００１６】
この発明によれば、画像表示媒体を構成する表示基板と背面基板との間には、少なくとも１種類の粒子群が封入されている。粒子群が１種類の場合には、例えば背面側の基板を着色された基板とし、背面側の基板が表示側の基板側から視認できるように粒子を移動させたりすることにより粒子と背面基板の色とのコントラストで画像を表示することができる。色及び帯電特性が異なる複数種類の粒子群を用いた場合には、表示させたい画像に応じて各々の粒子群を移動させることにより、異なる種類の粒子のコントラストで画像を表示することができる。
【００１７】
表示基板側には、ライン状の複数の表示側電極が平行に配置されており、背面基板側には、表示基板及び背面基板を平面視したときに表示側電極の長手方向と交差する方向、例えば直交する方向にライン状の複数の背面側電極が配置されている。すなわち、表示側電極及び背面側電極は所謂単純マトリクス構造の電極となっている。
【００１８】
なお、表示基板は、透光性を有しており、例えば透明、半透明、有色透明の何れかであるガラス基板や絶縁性の樹脂等の誘電体等で構成することができる。また、粒子は絶縁性の粒子や導電性の粒子を用いることができる。また、表示側電極及び背面側電極は、表示基板及び背面基板の対向面に各々設けてもよいし、表示基板及び背面基板の対向面と反対側の面、すなわち外側の面に設けてもよいし、基板の中に設けてもよいし、表示基板及び背面基板の外側に別個独立に設けてもよい。
【００１９】
電圧印加手段は、複数の表示側電極のうち画像表示に寄与する表示側電極、すなわち、画像表示させるべく粒子を移動させる必要がある画素位置を含む表示側電極と複数の背面側電極のうち画像表示に寄与しない背面側電極、すなわち粒子を移動させる必要のない画素位置を含む背面側電極との間に、粒子群が移動しない範囲の電圧のうち絶対値が最大となる最大電圧近傍の電圧を印加する。
【００２０】
また、画像表示に寄与しない表示側電極と画像表示に寄与する背面側電極との間、画像表示に寄与しない表示側電極と画像表示に寄与しない背面側電極との間に対しても、前記最大電圧近傍の電圧を印加する。すなわち、粒子を移動させる必要がある画素位置を含む画像表示に寄与する表示側電極及び背面側電極以外の表示側電極と背面側電極との間の各々、すなわち、粒子を移動させる必要のない画素位置に対応する表示側電極と背面側電極との間に、これを越えると粒子群が移動を開始する電圧である最大電圧の近傍の電圧を印加する。
【００２１】
このように、電圧印加手段は、粒子を移動させる必要のない画像表示に寄与しない表示側電極と画像表示に寄与しない背面側電極とを同電位とせず、両電極間に粒子群が移動しない範囲の最大電圧近傍の電圧を印加する。
【００２２】
これにより、従来のように、画像表示に寄与しない表示側電極と画像表示に寄与しない背面側電極とを接地して同電位とした場合と比較して、画像表示に寄与する表示側電極と画像表示に寄与する背面側電極との間に印加する電圧を大きくすることができるため、単純マトリクス駆動で駆動しても十分なコントラストを得ることができる。
【００２３】
なお、この場合、隣接する表示側電極間又は隣接する背面側電極間に粒子が移動を開始する電圧以上の電圧が印加され、粒子が移動してしまう場合がある。
【００２４】
そこで、請求項２に記載したように、隣接する表示側電極の間隙の各々に対応する位置及び隣接する背面側電極の間隙の各々に対応する位置の少なくとも一方に、前記表示基板と前記背面基板との間を仕切る仕切部材をさらに備えることが好ましい。
【００２５】
これにより、隣接する表示側電極間又は隣接する背面側電極間での粒子の移動を防ぐことができ、地汚れや表示濃度の低下を防ぐことができる。
【００２６】
また、請求項３に記載したように、前記粒子群は、色及び帯電特性が異なる複数種類の粒子群とすることができる。例えば色及び帯電特性が異なる第１の粒子群及び第２の粒子群を用いた場合において、第１の粒子群の色（例えば白）を表示している状態から第２の粒子群の色（例えば黒）を表示する場合には、画像表示に寄与しない表示側電極と画像表示に寄与する背面側電極との間、画像表示に寄与する表示側電極と画像表示に寄与しない背面側電極との間に対しては、第２の粒子群が移動しない範囲の最大電圧を印加し、画像表示に寄与しない表示側電極と画像表示に寄与しない背面側電極との間に対しては、第１の粒子群が移動しない範囲の最大電圧を印加することができる。これにより、画像表示に寄与する表示側電極と画像表示に寄与する背面側電極との間に対しては、第２の粒子群が移動しない範囲の最大電圧の２倍の電圧と、第１の粒子群が移動しない範囲の最大電圧とを足した電圧まで印加することができる。これにより、コントラストの高い表示を行うことが可能となる。
【００２７】
【発明の実施の形態】
以下、図面を参照して本発明の実施の形態について詳細に説明する。
【００２８】
図１には、本実施の形態に係る画像表示装置８０を示した。画像表示装置８０は、画像表示媒体１０と、この画像表示媒体１０を駆動する駆動装置８２とを備えている。図２に示すように、画像表示媒体１０は、画像表示側である透明な表示基板１２と、当該表示基板１２と対向し所定間隙を隔てて配置される背面基板１４とを備えている。
【００２９】
この画像表示媒体１０は、所謂単純マトリクス駆動方式により駆動されるものであり、図２、図３（Ａ）、（Ｂ）に示すように、表示基板１２の背面基板１４との対向面には複数のライン状の電極（列電極）１６（以下、「列電極」という）が設けられ、同様に、背面基板１４の表示基板１２との対向面にも複数のライン状の電極（行電極）１７（以下、「行電極」という）が設けられている。そして、表示基板１２と背面基板１４とは、互いに設けられた列電極１６と行電極１７とが直交するように対峙して配置される（図１参照）。
【００３０】
また、列電極１６側には絶縁層１８が形成され、行電極１７側には絶縁層１９が各々形成されている。絶縁層１８、１９は例えばポリカーボネート等で構成される。
【００３１】
なお、本実施の形態では、説明の簡略化のために４×４の単純マトリックス構成とし、表示基板１２の４つの列電極１６をそれぞれａ、ｂ、ｃ、ｄとし、背面基板１４の行電極１７をそれぞれｉ、ｉｉ、ｉｉｉ、ｉｖとした。実際には、画像表示に必要な縦横画素数に対応した本数の電極が各基板に形成されることはいうまでもない。また、本実施の形態では、表示基板１２のライン状の電極１６が列電極であり、背面基板１４のライン状の電極１７が行電極を形成するように構成したが、これとは逆に表示基板１２に行電極を設け、背面基板１４に列電極を設けた構成であってもよい。
【００３２】
また、列電極１６及び行電極１７は、表示基板１２及び背面基板１４の中に埋め込まれていてもよく、表示基板１２及び背面基板１４の対向する側の面と反対側の面に形成されていてもよく、表示基板１２及び背面基板１４の外側に別個独立に配置されていてもよい。
【００３３】
表示基板１２と背面基板１４との間には、互いに帯電特性の異なる粒子群であって、正に帯電した黒粒子２０と負に帯電した白粒子２２とが封入されている。
【００３４】
また、表示基板１２と背面基板１４との間には間隙部材２１が設けられ、これにより表示基板１２と背面基板１４との間が一定間隔に保たれる。
【００３５】
図１に示すように、画像表示媒体１０は駆動装置８２と接続されている。具体的には、表示基板１２の列電極１６及び背面基板１４の行電極１７は、それぞれ列電極駆動回路３０、行電極駆動回路３２に接続されており、列電極駆動回路３０及び行電極駆動回路３２はシーケンサ３４と外部電源３６に接続されている。シーケンサ３４は画像入力装置３８に接続され、画像入力装置３８からインプットされる任意の画像情報に応じて、列電極駆動回路３０、行電極駆動回路３２に画像情報信号を出力する。
【００３６】
単純マトリックス駆動では、シーケンサ３４から行毎の画像書込み信号（走査信号）が行電極駆動回路３２に送られ、行電極駆動回路３２から背面基板１４の行電極１７に画像書込電圧が順次印加される。同時に、背面基板１４の行電極１７に順次印加される画像書込電圧と同期して、画像書込電圧が印加される行に対応した画像情報信号がシーケンサ３４から列電極駆動回路３０へ送られ、列電極駆動回路３０から表示基板１２の列電極１６に書込み行に対応した画像書込電圧が一斉に印加される。これが１行目から最終行目まで順次行われ、所望の画像が表示されるようになっている。電圧の印加が停止されも、鏡像力により黒粒子２０又は白粒子２２は表示基板１２又は背面基板１４に付着したままとなり、画像表示が維持される。
【００３７】
なお、列電極１６は本発明の表示側電極に相当し、行電極１７は本発明の背面側電極に相当し、列電極駆動回路３０、行電極駆動回路３２、及びシーケンサ３４は本発明の電圧印加手段に相当する。
【００３８】
以下に、本発明の画像表示装置の作用について説明する。
【００３９】
なお、画像表示媒体１０の表示特性は、図７に示すような特性とする。すなわち、表示基板１２と背面基板１４との距離は３００μｍであり、例えば黒粒子２０が背面基板１４側に停止している状態を維持することのできる範囲の電圧の中で絶対値が最大の電圧である粒子停止最大電圧ＶｔｈＢ（黒粒子２０が表示基板１２側へ移動を開始しない最大電圧）よりも低い電圧が表示基板１２に印加されると背面基板１４側の黒粒子２０が表示基板１２側へ移動開始する。粒子停止最大電圧ＶｔｈＢは一例として−８０Ｖであり、列電極１６の印加電圧（行電極１７に対する列電極１６の電位）が−３００Ｖ程度でほぼ飽和する。
【００４０】
また、白粒子２２が背面基板１４側に停止している状態を維持することができる範囲の電圧の中で最大の電圧である粒子停止最大電圧ＶｔｈＷ（白粒子２２が表示基板１２側へ移動を開始しない最大電圧）を越えた電圧が表示基板１２に印加されると背面基板１４側の白粒子２２が表示基板１２側へ移動開始する。粒子停止最大電圧ＶｔｈＷは一例として＋７０Ｖであり、印加電圧が＋３００Ｖ程度でほぼ飽和する。
【００４１】
また、ここでは、単純マトリックス駆動方式によって白表示面に黒の画像表示を行う例を説明する。
【００４２】
なお、以下の説明では、画像情報信号に応じて表示基板１２の列電極１６に印加する画像書込電圧（画像表示に寄与する列電極１６に印加する電圧）をＶＣｏｎ、背面基板１４の行電極１７に順次印加する画像書込電圧（画像表示に寄与する行電極１７に印加する電圧）をＶＲｏｎ、画像を書込まない列電極１６に印加する非画像書込電圧（画像表示に寄与しない列電極１６に印加する電圧）をＶＣｏｆｆ、画像を書込まない行電極１７に印加する非画像書込電圧（画像表示に寄与しない行電極１７に印加する電圧）をＶＲｏｆｆとする。
【００４３】
単純マトリクス駆動では、列側の画像書込電圧ＶＣｏｎと行側の非画像書込電圧ＶＲｏｆｆとの差の絶対値｜ＶＣｏｎ−ＶＲｏｆｆ｜、列側の非画像書込電圧ＶＣｏｆｆと行側の画像書込電圧ＶＲｏｎとの差の絶対値｜ＶＣｏｆｆ−ＶＲｏｎ｜が粒子停止最大電圧の絶対値｜ＶｔｈＢ｜を越えると、非画像書込み部で黒粒子２０が表示基板１２側に移動してしまい地汚れが発生してしまう。
【００４４】
また、列側の非画像書込電圧ＶＣｏｆｆと行側の非画像書込電圧ＶＲｏｆｆとの差の絶対値｜ＶＣｏｆｆ−ＶＲｏｆｆ｜が粒子停止最大電圧の絶対値｜ＶｔｈＷ｜を越えると、画像書込み部で一度黒表示を行った個所に再度白粒子２２が移動してきてしまい、表示濃度が低下してしまう。
【００４５】
このため、列側の画像書込電圧ＶＣｏｎと行側の非画像書込電圧ＶＲｏｆｆとの差の絶対値｜ＶＣｏｎ−ＶＲｏｆｆ｜が、粒子停止最大電圧の絶対値｜ＶｔｈＢ｜以下となるように、すなわち、｜ＶｔｈＢ｜≧｜ＶＣｏｎ−ＶＲｏｆｆ｜の条件を満たし、列側の非画像書込電圧ＶＣｏｆｆと行側の画像書込電圧ＶＲｏｎとの差の絶対値｜ＶＣｏｆｆ−ＶＲｏｎ｜が粒子停止最大電圧の絶対値｜ＶｔｈＢ｜以下となるように、すなわち、｜ＶｔｈＢ｜≧｜ＶＣｏｆｆ−ＶＲｏｎ｜の条件を満たし、列側の非画像書込電圧ＶＣｏｆｆと行側の非画像書込電圧ＶＲｏｆｆとの差の絶対値｜ＶＣｏｆｆ−ＶＲｏｆｆ｜が粒子停止最大電圧の絶対値｜ＶｔｈＷ｜以下となるように、すなわち、｜ＶｔｈＷ｜≧｜ＶＣｏｆｆ−ＶＲｏｆｆ｜の条件を満たすように、列電極１６及び行電極１７に電圧を印加する。
【００４６】
このため、列側の画像書込電圧ＶＣｏｎと行側の画像書込電圧ＶＲｏｎとの差の絶対値｜ＶＣｏｎ−ＶＲｏｎ｜は、粒子停止最大電圧の絶対値｜ＶｔｈＢ｜の２倍の電圧に粒子停止最大電圧の絶対値｜ＶｔｈＷ｜を加えた電圧まで印加することができる。すなわち、｜ＶＣｏｎ−ＶＲｏｎ｜≦２｜ＶｔｈＢ｜＋｜ＶｔｈＷ｜となる。
【００４７】
このように、粒子を移動させる必要のない非画像部の列電極１６と行電極１７との間に印加される電圧が粒子停止最大電圧以下となるように非画像部の列電極１６及び行電極１７に電圧を印加することにより、地汚れや表示濃度の低下を防ぐことができる。
【００４８】
なお、図４に示したように、｜ＶｔｈＢ｜＝｜ＶＣｏｎ−ＶＲｏｆｆ｜、｜ＶｔｈＢ｜＝｜ＶＣｏｆｆ−ＶＲｏｎ｜、｜ＶｔｈＷ｜＝｜ＶＣｏｆｆ−ＶＲｏｆｆ｜となるように列電極１６及び行電極１７に電圧を印加することが好ましい。すなわち、粒子を移動させる必要のない非画像部の列電極１６と行電極１７との間に印加される電圧が、粒子が停止している状態を維持するぎりぎりの電圧である粒子停止最大電圧と同じとなるように非画像部の列電極１６及び行電極１７に電圧を印加する。
【００４９】
これにより、図４に示すように、従来のように非画像部の列電極１６及び行電極１７を接地する等により同一電位とする場合と比較して、画像部の列電極１６と行電極１７との間に印加することができる印加可能最大電圧ＶＢｍａｘ２、ＶＷｍａｘ２を従来の印加可能最大電圧ＶＢｍａｘ１、ＶＷｍａｘ１よりも高くすることができる。例えば粒子停止最大電圧の絶対値｜ＶｔｈＷ｜を粒子停止最大電圧の絶対値｜ＶｔｈＢ｜と同一とした場合、従来では粒子停止最大電圧の２倍までの電圧しか印加できなかったのに対し、粒子停止最大電圧の３倍の電圧まで印加することができる。このため、図７からも明らかなように、十分な表示コントラストを達成することが可能となる。
【００５０】
次に、具体的な電圧の印加について説明する。
【００５１】
図１の斜線で示した画素、すなわち、列電極１６と行電極１７との交差する部位、ｉ行ａ列、ｉ行ｃ列、ｉｉ行ｂ列、ｉｉ行ｄ列、ｉｉｉ行ａ列、ｉｉｉ行ｃ列の画素について、白表示から黒表示に変える場合、まずｉ行目の画像表示を行うために、背面基板１４のｉ行目の行電極に画像書込電圧ＶＲｏｎが印加され、これと同期して表示基板１２のａ列とｃ列の列電極に画像書込電圧ＶＣｏｎが印加され、表示基板１２のｂ列とｄ列の列電極に非画像書込電圧ＶＣｏｆｆが印加され、背面基板１４のｉｉ〜ｉｖ行目の行電極にＲｏｆｆが印加される。
【００５２】
これにより、ｉ行ａ列、ｉ行ｃ列の列電極と行電極との間には（ＶＣｏｎ−ＶＲｏｎ）の電圧が印加され、背面基板１４側の黒粒子２０が基板間に形成された電界によるクーロン力により表示基板１２側へ移動し黒表示される。
【００５３】
また、ｉ行ｂ列、ｉ行ｄ列の列電極と行電極との間には（ＶＣｏｆｆ−ＶＲｏｎ）の電圧が印加されるが、この電圧（の絶対値）は粒子停止最大電圧ＶｔｈＢ（の絶対値）以下の電圧であるため、背面基板１４側の黒粒子２０は停止したままで表示基板１２側へは移動せず、白表示のままとなる。
【００５４】
また、ｉｉ〜ｉｖ行ａ列、ｉｉ〜ｉｖ行ｃ列の列電極と行電極との間には（ＶＣｏｎ−ＶＲｏｆｆ）の電圧が印加されるが、この電圧（の絶対値）は粒子停止最大電圧ＶｔｈＢ（の絶対値）以下の電圧であるため、背面基板１４側の黒粒子２０は停止したままで表示基板１２側へは移動せず、白表示のままとなる。
【００５５】
また、ｉｉ〜ｉｖ行ｂ列、ｉｉ〜ｉｖ行ｄ列の列電極と行電極との間には（ＶＣｏｆｆ−ＶＲｏｆｆ）の電圧が印加されるが、この電圧（の絶対値）は粒子停止最大電圧ＶｔｈＷ（の絶対値）以下の電圧であり、また、初期状態では表示基板１２側に白粒子２２が存在するため、表示基板１２側の白粒子２２は停止したままで背面基板１４側へは移動せず、白表示のままとなる。
【００５６】
次にｉｉ行目の画像表示を行うために、背面基板１４のｉｉ行目の行電極に画像書込電圧ＶＲｏｎが印加され、これと同期して表示基板１２のｂ列とｄ列の列電極に画像書込電圧ＶＣｏｎが印加され、表示基板１２のａ列とｃ列の列電極に非画像書込電圧ＶＣｏｆｆが印加され、背面基板１４のｉ，ｉｉｉ，ｉｖ行目の行電極にＲｏｆｆが印加される。
【００５７】
これにより、ｉｉ行ｂ列、ｉｉ行ｄ列の列電極と行電極との間には（ＶＣｏｎ−ＶＲｏｎ）の電圧が印加され、背面基板１４側の黒粒子２０が基板間に形成された電界によるクーロン力により表示基板１２側へ移動し黒表示される。
【００５８】
また、ｉｉ行ａ列、ｉｉ行ｃ列の列電極と行電極との間には（ＶＣｏｆｆ−ＶＲｏｎ）の電圧が印加されるが、この電圧（の絶対値）は粒子停止最大電圧ＶｔｈＢ（の絶対値）以下の電圧であるため、背面基板１４側の黒粒子２０は停止したままで表示基板１２側へは移動せず、白表示のままとなる。
【００５９】
また、ｉ，ｉｉｉ，ｉｖ行ｂ列、ｉ，ｉｉｉ，ｉｖ行ｄ列の列電極と行電極との間には（ＶＣｏｎ−ＶＲｏｆｆ）の電圧が印加されるが、この電圧（の絶対値）は粒子停止最大電圧ＶｔｈＢ（の絶対値）以下の電圧であるため、背面基板１４側の黒粒子２０は停止したままで表示基板１２側へは移動せず、白表示のままとなる。
【００６０】
また、ｉｉｉ，ｉｖ行ａ列、ｉｉｉ，ｉｖ行ｃ列の列電極と行電極との間には（ＶＣｏｆｆ−ＶＲｏｆｆ）の電圧が印加されるが、この電圧（の絶対値）は粒子停止最大電圧ＶｔｈＷ（の絶対値）以下の電圧であり、また、初期状態では表示基板１２側に白粒子２２が存在するため、表示基板１２側の白粒子２２は停止したままで背面基板１４側へは移動せず、白表示のままとなる。
【００６１】
また、ｉ行ａ列、ｉ行ｃ列の列電極と行電極との間にも（ＶＣｏｆｆ−ＶＲｏｆｆ）の電圧が印加されるが、この電圧（の絶対値）は粒子停止最大電圧ＶｔｈＷ（の絶対値）以下の電圧であるため、表示基板１２側に一旦移動した黒粒子２０は表示基板１２側で停止したままで背面基板１４側へは移動せず、黒表示のままとなる。なお、ｉｉｉ行目の画像表示についても上記と同様である。
【００６２】
このように、粒子を移動させる必要のない非画像部の列電極と行電極との間に粒子停止最大電圧近傍の電圧を印加することにより、地汚れや表示濃度の低下を防ぐことができると共に、画像部の列電極と行電極との間に印加する電圧を高くすることができるので、単純マトリクス駆動で駆動しても十分なコントラストを得ることができる。
【００６３】
なお、隣接する画像部の列電極に印加される画像書込電圧ＶＣｏｎと非画像部の列電極に印加される非画像書込電圧ＶＣｏｆｆとの差の絶対値｜ＶＣｏｎ−ＶＣｏｆｆ｜が粒子停止最大電圧を越えると、表示駆動時に表示基板１２側の隣接電極間で粒子が移動して抜けてしまい、筋状の表示ノイズが発生してしまう場合がある。
【００６４】
このため、図５に示したように、隣接する列電極間の各々に表示基板１２と背面基板１４との間を仕切る仕切部材４０を形成するようにしてもよい。これにより、｜ＶＣｏｎ−ＶＣｏｆｆ｜が粒子停止最大電圧を越えた場合でも、隣接する列電極間での粒子の移動を防ぐことができ、表示ノイズを防ぐことができる。
【００６５】
同様に、隣接する画像部の行電極に印加される画像書込電圧ＶＲｏｎと非画像部の行電極に印加される非画像書込電圧ＶＲｏｆｆとの差の絶対値｜ＶＲｏｎ−ＶＲｏｆｆ｜が粒子停止最大電圧を越えると、表示駆動時に背面基板１４上の粒子の拡散移動が顕著になり、画像のぼけが発生してしまう。
【００６６】
このため、図６に示したように、隣接する行電極間の各々に表示基板１２と背面基板１４との間を仕切る仕切部材４２を形成するようにしてもよい。これにより、｜ＶＲｏｎ−ＶＲｏｆｆ｜が粒子停止最大電圧を越えた場合でも、隣接する行電極間での粒子の移動を防ぐことができ、画像のぼけを防ぐことができる。
【００６７】
なお、仕切部材４０と仕切部材４２とを両方設けるようにしてもよい。これにより、基板間を表示の最小画素単位毎に区切るセル構成とすることができ、表示駆動時に隣接電極間に形成される電界によって粒子が他の画素へ移動するのを完全に防止することができ、よりコントラストが高く、かつノイズの少ない画像を表示することができる。
【００６８】
【発明の効果】
本発明によれば、単純マトリクス駆動方式により画像表示媒体を駆動した場合でも十分な表示コントラストを実現することができる、という効果を有する。
【図面の簡単な説明】
【図１】画像表示装置の概略構成を示すブロック図である。
【図２】（Ａ）は、図１のＡ−Ａ断面図であり、（Ｂ）は、図１のＢ−Ｂ断面図である。
【図３】（Ａ）は、表示基板の平面図であり、（Ｂ）は、背面基板の平面図である。
【図４】電圧印加方法について説明するための図である。
【図５】画像表示媒体の他の例を示す断面図である。
【図６】画像表示媒体の他の例を示す断面図である。
【図７】背面基板側の電極に対する表示基板側の電極に印加される電圧と表示濃度との関係を示す線図である。
【図８】従来の電圧印加方法について説明するための図である。
【符号の説明】
１０    画像表示媒体
１２    表示基板
１４    背面基板
１６    列電極
１７    行電極
１８、１９    絶縁層
２０    黒粒子
２１    間隙部材
２２    白粒子
３０    列電極駆動回路
３２    行電極駆動回路
３４    シーケンサ
３６    外部電源
３８    画像入力装置
４０    仕切部材
４２    仕切部材
８０    画像表示装置
８２    駆動装置
【図１】
2004163566.tif 000003
【図２】
2004163566.tif 000004
【図３】
2004163566.tif 000005
【図４】
2004163566.tif 000006
【図５】
2004163566.tif 000007
【図６】
2004163566.tif 000008
【図７】
2004163566.tif 000009
【図８】
2004163566.tif 000010